(57)【要約】      （修正有）【課題】優れた光の均一性を有するバックライトモジュール及びそれを採用する表示装置を提供する。【解決手段】バックライトモジュール１００は導光板１１０、光源１２０及び光学フィルム１３０を含む。導光板１１０は出光面１１０ｅ、及び出光面１１０ｅに接続される少なくとも１つの側面１１０ｓを有する。出光面１１０ｅは中央領域ＣＲ、及び中央領域ＣＲを取り囲むエッジ領域ＰＲを有し、エッジ領域ＰＲは少なくとも１つの側面１１０ｓに隣接する。光源１２０は導光板１１０の少なくとも１つの側面１１０ｓのうちの１つの側に設置される。光学フィルム１３０は導光板１１０の出光面１１０ｅの側に設置される。光学フィルム１３０は出光面１１０ｅのエッジ領域ＰＲとオーバーラップし、且つ出光面１１０ｅの中央領域ＣＲとオーバーラップしない。【選択図】図１
0003232980.tif 000002
【実用新案登録請求の範囲】
【請求項１】
導光板、光源及び光学フィルムを含むバックライトモジュールであって、
前記導光板は、出光面及び前記出光面に接続される少なくとも１つの側面を有し、前記出光面は、中央領域及び前記中央領域を取り囲むエッジ領域を有し、前記エッジ領域は、前記少なくとも１つの側面に隣接し、
前記光源は、前記導光板の前記少なくとも１つの側面のうちの１つの側に設置され、
前記光学フィルムは、前記導光板の前記出光面の側に設置され、前記光学フィルムは、前記出光面の前記エッジ領域とオーバーラップし、且つ前記出光面の前記中央領域とオーバーラップしない、バックライトモジュール。
【請求項２】
請求項１に記載のバックライトモジュールであって、
前記出光面の前記中央領域及び前記エッジ領域にオーバーラップして設置され、且つ前記光学フィルムと前記導光板との間に位置する反射型偏光フィルムを更に含み、
前記光源は複数の第一光束を発し、前記複数の第一光束は、前記反射型偏光フィルムを通過した後に第一偏光方向を有し、前記反射型偏光フィルムからの一部の前記複数の第一光束は、前記光学フィルムを通過した後に第二偏光方向を有し、前記第二偏光方向は、前記第一偏光方向とは異なる、バックライトモジュール。
【請求項３】
請求項２に記載のバックライトモジュールであって、
前記光学フィルムは位相遅延素子であり、前記位相遅延素子のファースト軸の軸方向は、前記第一偏光方向と交差する、バックライトモジュール。
【請求項４】
請求項２に記載のバックライトモジュールであって、
前記光学フィルムは偏光子であり、前記偏光子の透過軸の軸方向は、前記第一偏光方向と交差する、バックライトモジュール。
【請求項５】
請求項１に記載のバックライトモジュールであって、
前記光源は複数の第一光束を発し、前記導光板からの前記複数の第一光束の一部は、前記光学フィルムを通過した後に偏光状態を有し、前記導光板からの前記複数の第一光束の他の部分は、前記光学フィルムを通過せず、且つ非偏光状態を有する、バックライトモジュール。
【請求項６】
請求項１に記載のバックライトモジュールであって、
前記光学フィルムの、前記導光板の前記出光面上の垂直投影は、前記導光板の前記中央領域を取り囲む、バックライトモジュール。
【請求項７】
請求項１に記載のバックライトモジュールであって、
前記光学フィルムは、互いに分離した第一部分及び第二部分を有し、前記第一部分及び前記第二部分の、前記導光板の前記出光面上の２つの垂直投影は、それぞれ、前記中央領域の異なる側に位置し、且つ前記第一部分の第一位相遅延量は、前記第二部分の第二位相遅延量とは異なる、バックライトモジュール。
【請求項８】
バックライトモジュール、表示パネル及び第一偏光子を含む表示装置であって、
前記バックライトモジュールは、導光板、光源及び光学フィルムを含み、
前記導光板は、出光面及び前記出光面に接続される少なくとも１つの側面を有し、前記出光面は、中央領域及び前記中央領域を取り囲むエッジ領域を有し、前記エッジ領域は、前記少なくとも１つの側面に隣接し、
前記光源は、前記導光板の前記少なくとも１つの側面のうちの１つの側に設置され、
前記光学フィルムは、前記導光板の前記出光面の側に設置され、前記光学フィルムは、前記出光面の前記エッジ領域とオーバーラップし、且つ前記出光面の前記中央領域とオーバーラップせず、
前記表示パネルは、前記導光板の前記出光面にオーバーラップして設置され、前記光学フィルムは、前記表示パネルと前記導光板との間に位置し、
前記第一偏光子は、前記表示パネルと前記光学フィルムとの間に設置される、表示装置。
【請求項９】
請求項８に記載の表示装置であって、
前記バックライトモジュールは、
前記出光面の前記中央領域及び前記エッジ領域にオーバーラップして設置され、且つ前記光学フィルムと前記導光板との間に位置する反射型偏光フィルムを更に含み、
前記光源は複数の第一光束を発し、前記複数の第一光束は、前記反射型偏光フィルムを通過した後に第一偏光方向を有し、前記第一偏光方向は、前記第一偏光子の透過軸の軸方向に平行であり、前記反射型偏光フィルムからの一部の前記複数の第一光束は、前記光学フィルムを通過した後に第二偏光方向を有し、前記第二偏光方向は、前記第一偏光方向とは異なる、表示装置。
【請求項１０】
請求項９に記載の表示装置であって、
前記光学フィルムは位相遅延素子であり、前記位相遅延素子のファースト軸の軸方向は、前記第一偏光方向と交差する、表示装置。
【請求項１１】
請求項９に記載の表示装置であって、
前記光学フィルムは偏光子であり、前記偏光子の透過軸の軸方向は、前記第一偏光子の透過軸の軸方向と交差する、表示装置。
【請求項１２】
請求項８に記載の表示装置であって、
前記光学フィルムは第二偏光子であり、前記第二偏光子の透過軸の軸方向は、前記第一偏光子の透過軸の軸方向と交差する、表示装置。
【考案の詳細な説明】
【技術分野】
【０００１】
本考案は、光学モジュール及び表示装置に関し、特に、バックライトモジュール及び表示装置に関する。
【背景技術】
【０００２】
近年、表示技術の発達に伴い、消費型表示器（例えば、スマートテレビ、ゲームモニターなど）について言えば、表示パフォーマンス（例えば、超高解像度、高コントラスト、高フレームレートなど）が向上する他に、その全体的な外観（例えば、ベゼルレス、薄型化など）の品格も、消費者が購入する際の重要な指標のひとつになりつつある。一方、コスト、耐用年数などのファクターを考慮すると、大型表示器は、依然として、液晶ディスプレイが大半を占めている。液晶表示パネルが非自己発光型の表示パネルであるから、画像を表示するには、バックライトモジュールと併用する必要がある。
【０００３】
一般的に言えば、バックライトモジュールは、発光素子の配置方法に従って、直下型バックライトモジュールとエッジ型バックライトモジュールに分けることができ、そのうち、エッジ型バックライトモジュールは、薄くて軽い外観を有するため、徐々に市場の主流になりつつある。例を挙げて言えば、エッジ型バックライトモジュールによる表示領域のエッジの輝度値を補完するために、プラスチックベゼルの色は通常白である。しかし、導光板の側端から射出される一部の光束が白色のプラスチックベゼルによって（拡散）反射されるため、表示領域のエッジでの異常な光漏れが発生しやすく、予期しない明るい線が形成され得る。また、このようなバックライトモジュールを有する薄型化表示装置は、ベゼルレス（Ｂｅｚｅｌ−ｌｅｓｓ）の設計要件の下で、そのベゼルの配置可能な空間が大幅に削減されるため、表示領域のエッジでの予期しない明るい線を効果的にブロックすることができず、表示装置の表示品質に悪い影響を与える恐れがある。
【０００４】
なお、この「背景技術」の部分が、本考案の内容への理解を助けるためだけのものであるため、この「背景技術」の部分に開示されている内容は、当業者に知られていない技術を含む可能性がある。よって、この「背景技術」の部分に開示されている内容は、該内容、又は、本考案の１つ又は複数の実施例が解決しようとする課題が本考案の出願前に既に当業者に周知されていることを意味しない。
【考案の概要】
【考案が解決しようとする課題】
【０００５】
本考案の１つの目的は、より優れた光の均一性を有するバックライトモジュールを提供することにある。
【０００６】
本考案のもう１つの目的は、より優れた表示品質を有する表示装置を提供することにある。
【０００７】
本考案の他の目的及び利点は、本考案に開示される技術的特徴からさらに理解することができる。
【課題を解決するための手段】
【０００８】
上述の１つ又は一部又は全部の目的あるいは他の目的を達成するために、本考案の一実施例によれば、バックライトモジュールが提供される。バックライトモジュールは、導光板、光源及び光学フィルムを含む。導光板は、出光面及び出光面（光取り出し面）に接続される少なくとも１つの側面を有する。出光面は、中央領域及び中央領域を取り囲むエッジ領域を有し、且つエッジ領域は、少なくとも１つの側面に隣接する。光源は、導光板の少なくとも１つの側面のうちの１つの側に設置される。光学フィルムは、導光板の出光面の側に設置される。光学フィルムは、出光面のエッジ領域とオーバーラップし、且つ出光面の中央領域とオーバーラップしない。
【０００９】
上述の１つ又は一部又は全部の目的あるいは他の目的を達成するために、本考案の一実施例によれば、表示装置が提供される。表示装置は、バックライトモジュール、表示パネル及び第一偏光片（偏光子）を含む。バックライトモジュールは、導光板、光源及び光学フィルムを含む。導光板は、出光面及び出光面に接続される少なくとも１つの側面を有する。出光面は、中央領域及び中央領域を取り囲むエッジ領域を有し、且つエッジ領域は、少なくとも１つの側面に隣接する。光源は、導光板の少なくとも１つの側面のうちの１つの側に設置される。光学フィルムは、導光板の出光面の側に設置される。光学フィルムは、出光面のエッジ領域とオーバーラップし、且つ出光面の中央領域とオーバーラップしない。表示パネルは、導光板の出光面にオーバーラップして設置され、且つ光学フィルムは、表示パネルと導光板との間に位置する。第一偏光子は、表示パネルと光学フィルムとの間に設置される。
【００１０】
上述により、本考案の一実施例によるバックライトモジュール及び表示装置では、光学フィルムが導光板の出光面のエッジ領域とオーバーラップし、且つ導光板の出光面の中央領域とオーバーラップしないことにより、バックライトモジュールからの光の均一性を向上させることができ、そして、表示装置の表示品質を向上させることができる。
【００１１】
本考案の上述の特徴及び利点をより明らかにするために、以下、実施例を挙げて添付した図面を参照することにより、詳細に説明する。
【図面の簡単な説明】
【００１２】
【図１】本考案の第一実施例における表示装置の側面図である。
【図２】図１の表示装置を示す図である。
【図３】図１の表示装置の位置対相対輝度の曲線図である。
【図４】本考案の第二実施例における表示装置を示す図である。
【図５】図４の表示装置の位置対相対輝度の曲線図である。
【図６】本考案の第三実施例における表示装置の側面図である。
【図７】図６の表示装置を示す図である。
【図８】図６の表示装置の位置対相対輝度の曲線図である。
【図９】本考案の第四実施例における表示装置の上面図である。
【考案を実施するための形態】
【００１３】
本考案の上述した及び他の技術的内容、特徴、機能及び効果は、添付した図面に基づく次のような好ましい実施例の詳細な説明により明確になる。なお、以下の実施例に言及される方向についての用語、例えば、上、下、左、右、前又は後などは、添付した図面の方向に過ぎない。よって、使用される方向の用語は、本考案を説明するためだけのものであり、本考案を限定するためのものではない。
【００１４】
図１は、本考案の第一実施例における表示装置の側面図である。図２は、図１の表示装置を示す図である。図３は、図１の表示装置の位置対相対輝度の曲線図である。なお、図３の曲線は、図２の表示装置１０の経路Ａ−Ａ’に沿って測定することにより取得されるものであり、図３の相対輝度は、測定した輝度値に対して比較例（即ち、光学フィルム１３０無しの表示装置）の最大輝度値を用いて正規化を行うことにより得られるものである。
【００１５】
図１及び図２を参照して、表示装置１０は、バックライトモジュール１００及び表示パネル２００を含む。表示パネル２００は、バックライトモジュール１００にオーバーラップして設置される。本実施例では、表示パネル２００は、例えば、液晶表示パネル（ｌｉｑｕｉｄ  ｃｒｙｓｔａｌ  ｄｉｓｐｌａｙ、ＬＣＤ）であり、液晶表示パネルは、ねじれネマティック液晶（Ｔｗｉｓｔｅｄ  Ｎｅｍａｔｉｃ  Ｌｉｑｕｉｄ  Ｃｒｙｓｔａｌ、ＴＮ−ＬＣ）表示パネル、電気制御複屈折（ｅｌｅｃｔｒｉｃａｌｌｙ  ｃｏｎｔｒｏｌｌｅｄ  ｂｉｒｅｆｒｉｎｇｅｎｃｅ、ＥＣＢ）表示パネル、光学補償弯曲（ｏｐｔｉｃａｌｌｙ  ｃｏｍｐｅｎｓａｔｅｄ  ｂｅｎｄ、ＯＣＢ）表示パネル、ＩＰＳ方式（ｉｎ−ｐｌａｎｅ  ｓｗｉｔｃｈｉｎｇ、ＩＰＳ）表示パネル、又はバーティカルアライメント（ｖｅｒｔｉｃａｌ  ａｌｉｇｎｍｅｎｔ、ＶＡ）表示パネルを含んでも良い。表示パネル２００が液晶表示パネルであるから、表示装置１０はさらに、表示パネル２００の相対する両側に設置される偏光子２１０及び偏光子２２０を含み、即ち、表示パネル２００は、偏光子２１０と偏光子２２０との間に位置する。
【００１６】
例を挙げて言えば、表示パネル２００は、２つの基板（図示せず）、２つの導電層（図示せず）、２つの配向層（図示せず）及び２つの配向層の間に介在する液晶層（図示せず）を含んでも良い。表示装置１０が映像画面を表示するときに、表示パネル２００はイネーブルされて、上述の２つの導電層の間に電位差を持たせることができる。この電位差により形成される電場（電界）は、液晶層の複数の液晶分子が回転するように駆動することで、この電場に対応する位相遅延を生じさせることができる。異なる位相遅延は、光束（例えば、バックライトモジュール１００から偏光子２１０を通過する光束）が表示パネル２００を通過した後に異なる偏光状態を有するようにさせることができる。偏光子２２０の設置により、異なる偏光状態を有する光束が偏光子２２０を通過した後に異なる光強度を有するようにさせることで、表示の効果を達成することができる。
【００１７】
さらに言えば、バックライトモジュール１００は、導光板１１０、光源１２０及び光学フィルム１３０を含む。導光板１１０は、出光面１１０ｅ及び出光面１１０ｅに接続される少なくとも１つの側面１１０ｓを有する。本実施例では、導光板１１０は、出光面１１０ｅに接続される側面１１０ｓが４つあるが、これに限定されない。光源１２０は、導光板１１０のこれらの側面１１０ｓのうちの１つ（例えば、側面１１０ｓ１）の側に設置され、複数の第一光束Ｂ１を発するために用いられる。言い換えると、出光面１１０ｅに接続される導光板１１０の側面１１０ｓ１は、導光板１１０の入光面を定義し、光源１２０からのこれらの第一光束Ｂ１は、入光面（即ち、側面１１０ｓ１）に入射した後に、全反射の方式で横向きに導光板１１０に伝播することができる。なお、本実施例では、光源１２０の数が９つであるケースを例にとって例示的に説明するが、これは、本考案が図面に記載の内容に限定されることを意味しない。他の実施例において、光源１２０の配置数は、バックライトモジュールの光学設計に応じて調整することもできる。
【００１８】
導光板１１０の出光面１１０ｅは、中央領域ＣＲ及び中央領域ＣＲを取り囲むエッジ領域ＰＲを有し、且つエッジ領域ＰＲは、複数の側面１１０ｓに隣接する。より具体的に言えば、導光板１１０の出光面１１０ｅのエッジ領域ＰＲは、導光板１１０の複数の側面１１０ｓと出光面１１０ｅの中央領域ＣＲとの間に接続される。光学フィルム１３０は、導光板１１０の出光面１１０ｅの側に設置され、且つ表示パネル２００と導光板１１０との間に位置する。より具体的に言えば、光学フィルム１３０は、偏光子２１０と導光板１１０との間に位置する。なお、光学フィルム１３０は、導光板１１０の出光面１１０ｅの法線方向上で出光面１１０ｅのエッジ領域ＰＲとオーバーラップし、且つ出光面１１０ｅの中央領域ＣＲとオーバーラップしない。本実施例では、光学フィルム１３０の、導光板１１０の出光面１１０ｅ上の垂直投影は、導光板１１０の中央領域ＣＲを取り囲んでも良いが、これに限定されない。他の観点から言えば、光学フィルム１３０の導光板１１０の出光面１１０ｅ上の垂直投影は、光面１１０ｅのエッジ領域ＰＲを定義することができる。なお、表示パネル２００、偏光子２１０及び偏光子２２０はすべて、導光板１１０の出光面１１０ｅのエッジ領域ＰＲ及び中央領域ＣＲとオーバーラップする。
【００１９】
バックライトモジュール１００はさらに、反射型偏光フィルム１４０を含む。反射型偏光フィルム１４０は、出光面１１０ｅの中央領域ＣＲ及びエッジ領域ＰＲにオーバーラップして設置され、且つ光学フィルム１３０と導光板１１０との間に位置する。導光板１１０の出光面１１０ｅからの複数の第一光束Ｂ１は、反射型偏光フィルム１４０を通過した後に第一偏光方向Ｐ１を有し、且つ第一偏光方向Ｐ１は、偏光子２１０の透過軸Ｔの軸方向にほぼ平行である。反射型偏光フィルム１４０からの一部の第一光束Ｂ１は、光学フィルム１３０を通過した後に第二偏光方向Ｐ２を有し、且つこの第二偏光方向Ｐ２は、第一偏光方向Ｐ１とは異なる。例を挙げて言えば、本実施例では、光学フィルム１３０は、位相遅延素子（ｐｈａｓｅ  ｒｅｔａｒｄｅｒ）であり、例えば、半波長板（ｈａｌｆ−ｗａｖｅ  ｐｌａｔｅ）であり、且つ光学フィルム１３０のファースト軸（ｅｘｔｒａｏｒｄｉｎａｒｙ  ａｘｉｓ）ＥＡの軸方向は、第一偏光方向Ｐ１と交差し、例えば、光学フィルム１３０のファースト軸ＥＡと第一偏光方向Ｐ１との間の夾角θ１は、０度よりも大きく且つ９０度よりも小さくても良い。しかし、本考案は、これに限定されず、他の実施例によれば、光学フィルム１３０は、偏光子（ｐｏｌａｒｉｚｅｒ）であっても良く、且つその透過軸の軸方向は、第一偏光方向Ｐ１（又は偏光子２１０の透過軸Ｔの軸方向）と交差する。
【００２０】
例を挙げて言えば、光学フィルム１３０を通過して偏光子２１０に入射する第一光束Ｂ１ａは、楕円偏光状態又は円偏光状態を有し、光学フィルム１３０を通過せず偏光子２１０に入射する第一光束Ｂ１ｂは、依然として、線偏光状態を有するが、これに限られない。より具体的に言えば、光学フィルム１３０のファースト軸ＥＡと第一偏光方向Ｐ１（又は偏光子２１０の透過軸Ｔの軸方向）との間の夾角θ１の設計により、光学フィルム１３０からの第一光束Ｂ１ａが偏光子２１０を通過した後の光強度と、反射型偏光フィルム１４０からの、光学フィルム１３０を通過しない第一光束Ｂ１ｂが偏光子２１０を通過した後の光強度との差を減少させることができる。
【００２１】
図示しない比較例において、バックライトモジュールが図１の光学フィルム１３０を有しない。よって、導光板１１０のエッジ領域ＰＲからの光束の輝度値は、図３に示すように、明らかに、導光板１１０の中央領域ＣＲからの光束の輝度値よりも高い。これに対して、本実施例に係るバックライトモジュール１００は、出光面１１０ｅのエッジ領域ＰＲにおいて光学フィルム１３０が設置されており、且つ光学フィルム１３０のファースト軸ＥＡと第一偏光方向Ｐ１との間の夾角θ１が１０度であるため、導光板１１０のエッジ領域ＰＲからの光束（例えば、図１の第一光束Ｂ１ａ）の相対輝度と、導光板１１０の中央領域ＣＲからの光束（例えば、図１の第一光束Ｂ１ｂ）の相対輝度との差を３％よりもより小さい範囲内に減少させることができる。言い換えると、バックライトモジュール１００からの光の均一性を向上させることができ、そして、表示装置１０の表示品質を向上させることができる。
【００２２】
本実施例では、バックライトモジュール１００はさらに、選択的に、反射型偏光フィルム１４０と導光板１１０との間に設置される拡散シート１５０及びプリズムシート１６０を含んでも良い。拡散シート１５０及びプリズムシート１６０は、導光板１１０の出光面１１０ｅのエッジ領域ＰＲ及び中央領域ＣＲにオーバーラップして設置される。具体的に言えば、拡散シート１５０は、プリズムシート１６０と導光板１１０との間に位置し、導光板１１０の出光面１１０ｅからの第一光束Ｂ１の全体的均一性を向上させるために用いられる。プリズムシート１６０は、反射型偏光フィルム１４０と拡散シート１５０との間に位置し、且つ拡散シート１５０からの第一光束Ｂ１の全体の光の形状を調整するために用いられる。例を挙げて言えば、プリズムシート１６０は、基板１６１及び基板１６１に設置される複数の光学微細構造１６２を含む。これらの光学微細構造１６２は、方向Ｙに沿って配列されても良く、且つ方向Ｘ上で延伸する。より具体的に言えば、プリズムシート１６０のこれらの光学微細構造１６２は、拡散シート１５０からの光束（特に、ＹＺ平面上で発散する光束）を、光面１１０ｅの法線方向（例えば、方向Ｚ）に面して集中的に出射させるために用いられる。即ち、プリズムシート１６０は、方向Ｙ上で集光の効果を有するが、本考案は、これに限定されない。
【００２３】
さらに言えば、バックライトモジュール１００はさらに、選択的に、反射シート１７０を含んでも良い。導光板１１０はさらに、出光面１１０ｅと相対する底面１１０ｂを有し、且つ反射シート１７０は、導光板１１０の底面１１０ｂの側に設置される。光源１２０が発する一部の光束が導光板１１０において伝播する過程で導光板１１０の底面１１０ｂから出射し得るため、光エネルギーの消耗を来すことがある。よって、反射シート１７０の設置により、上述の一部の光束を導光板１１０へ反射及び伝播させることで、光源１２０の光エネルギーの利用率を向上させることができる。しかし、本考案は、これに限定されず、他の実施例において、バックライトモジュールは、反射シート１７０を有しなくても良い。
【００２４】
以下、幾つかの実施例を挙げて本開示を詳細に説明する、そのうち、同じ構成要素に同じ符号を付与し、且つ同じ技術的内容の説明を省略する。なお、省略された部分については、前述の実施例を参照することができるため、以下、その詳しい説明を省略する。
【００２５】
図４は、本考案の第二実施例における表示装置を示す図である。図５は、図４の表示装置の位置対相対輝度の曲線図である。なお、図５の曲線は、図４の表示装置１１の経路Ｂ−Ｂ’に沿って測定することで取得されるものであり、図５の相対輝度は、測定された輝度値に対して比較例（即ち、光学フィルム１３０Ａ無しの表示装置）の最大輝度値を用いて正規化を行うことにより得られるものである。
【００２６】
図４及び図５を参照して、本実施例に係る表示装置１１と、図１及び図２の表示装置１０との相違点は、光学フィルムの最大位相遅延量が異なることにある。本実施例では、表示装置１１のバックライトモジュール１００Ａの光学フィルム１３０Ａは、例えば、四分の一波長板（ｑｕａｒｔｅｒ−ｗａｖｅ  ｐｌａｔｅ）である。言い換えると、本実施例における光学フィルム１３０Ａの最大位相遅延量は、図２の光学フィルム１３０の最大位相遅延量の半分である。なお、導光板１１０のエッジ領域ＰＲの光束の相対輝度と、導光板１１０の中央領域ＣＲからの光束の相対輝度との差を３％よりも小さい範囲内に減少させるために（図５に示すように）、本実施例における光学フィルム１３０Ａのファースト軸ＥＡ’と、偏光子２１０の透過軸Ｔの軸方向（又は第一偏光方向Ｐ１）のとの間の夾角θ２は、図２の夾角θ１よりも大きくなる必要があり、例えば、１４度である。
【００２７】
他の観点から言えば、同じ夾角範囲の変化量の下で、光学フィルム１３０Ａ及び偏光子２１０を通過する光束の光強度の変化量は、光学フィルム１３０及び偏光子２１０を通過する光束（例えば、図１に示す第一光束Ｂ１ａ）の光強度の変化量よりも小さい。言い換えると、本実施例では、光学フィルム１３０Ａ及び偏光子２１０を通過する光束の光強度の変化は、光学フィルム１３０Ａのファースト軸ＥＡ’と、偏光子２１０の透過軸Ｔの軸方向との間の夾角θ２の変化に対して緩やかである。これにより、バックライトモジュール１００Ａの製造マージン（例えば、光学フィルム１３０Ａのファースト軸ＥＡ’と偏光子２１０との間の夾角関係）を増加させることができ、表示装置１１の製造歩留まり率の向上に役立つことができる。
【００２８】
図６は、本考案の第三実施例における表示装置の側面図である。図７は、図６の表示装置を示す図である。図８は、図６の表示装置の位置対相対輝度の曲線図。なお、図８の曲線は、図７の表示装置２０の経路Ｃ−Ｃ’に沿って測定することで取得されるものであり、図８の相対輝度は、測定された輝度値に対して比較例（即ち、无光学フィルム１３０Ｂ無しの表示装置）の最大輝度値を用いて正規化を行うことで得られるのである。
【００２９】
図６及び図７を参照して、本実施例の表示装置２０と、図１及び図２の表示装置１０との主な相違点は、バックライトモジュールの構成及び光学フィルムの種類が異なることにある。具体的に言えば、表示装置２０のバックライトモジュール１００Ｂは、もう１つのプリズムシート１８０で図１のバックライトモジュール１００の反射型偏光フィルム１４０を置換することにより形成される。例を挙げて言えば、プリズムシート１８０は、基板１８１及び基板１８１に設置される複数の光学微細構造１８２を含み、これらの光学微細構造１８２は、方向Ｘに配列され、且つ方向Ｙ上で延伸しても良い。言い換えると、プリズムシート１８０の光学微細構造１８２の延伸方向は、プリズムシート１６０の光学微細構造１６２の延伸方向と交差する。なお、プリズムシート１８０のこれらの光学微細構造１８２はさらに、プリズムシート１６０からの光束（特に、ＸＺ平面上で発散する光束）を、出光面１１０ｅの法線方向（例えば、方向Ｚ）に集中させて出射させることができる。即ち、オーバーラップして設置されるプリズムシート１６０及びプリズムシート１８０は、それぞれ、方向Ｙ及び方向Ｘにおいて集光の効果を有する。
【００３０】
本実施例では、光学フィルム１３０Ｂは、偏光子であっても良く、且つこの偏光子の透過軸Ｔ２の軸方向は、偏光子２１０の透過軸Ｔ１の軸方向と交差する。例を挙げて言えば、導光板１１０からの一部の第一光束Ｂ１（例えば、第一光束Ｂ１ａ）は、光学フィルム１３０Ｂを通過した後に第三偏光方向Ｐ３を有し（即ち、偏光状態を有し）、導光板１１０からの他の一部の第一光束Ｂ１（例えば、第一光束Ｂ１ｂ）は、光学フィルム１３０Ｂを通過せず、且つ非偏光状態を有する。よって、光学フィルム１３０Ｂを通過した第一光束Ｂ１ａ及び光学フィルム１３０Ｂを通過しない第一光束Ｂ１ｂは、偏光子２１０を通過した後に、それぞれ、異なる光強度を有する。より具体的に言えば、光学フィルム１３０Ｂの透過軸Ｔ２の軸方向と、偏光子２１０の透過軸Ｔ１の軸方向との間の夾角θ３の調整により、出光面１１０ｅのエッジ領域ＰＲからの第一光束Ｂ１ａと、出光面１１０ｅの中央領域ＣＲからの第一光束Ｂ１ｂとの、偏光子２１０を通過した後の光強度の差を減少させることができる。
【００３１】
本実施例では、光学フィルム１３０Ｂの透過軸Ｔ２と、偏光子２１０の透過軸Ｔ１との軸方向の間の夾角θ３は例えば２０度である。これにより、導光板１１０のエッジ領域ＰＲの光束の相対輝度と、導光板１１０の中央領域ＣＲからの光束の相対輝度との差を３％よりも小さい範囲内に減少させることである（図８に示すように）。言い換えると、バックライトモジュール１００Ｂからの光の均一性を向上させることができ、そして、表示装置２０の表示品質を向上させることができる。
【００３２】
図９は、本考案の第四実施例における表示装置の上面図である。なお、分かりやすくするために、図９では、バックライトモジュール１００Ｃの導光板１１０、光源１２０及び光学フィルム１３０Ｃのみが示されている。図９に示すように、本実施例に係る表示装置３０と、図２の表示装置１０との相違点は、光学フィルムの配置方式が異なることにある。
【００３３】
具体的に言えば、表示装置３０のバックライトモジュール１００Ｃの光学フィルム１３０Ｃは、互いに分離した第一部分１３１及び第二部分１３２を有しても良く、且つ光学フィルム１３０Ｃのこの２つの部分の、導光板１１０の出光面１１０ｅにおける２つの垂直投影は、それぞれ、中央領域ＣＲの相対する両側に位置するが、これに限定されない。他の実施例において、光学フィルムの第一部分１３１及び第二部分１３２は、それぞれ、中央領域ＣＲの隣接する両側に位置しても良い。即ち、光学フィルム１３０Ｃのこの２つの部分は、中央領域ＣＲの異なる側に設置されても良い。なお、本実施例では、光学フィルムのこれらの部分の数は、２つを例として例示的に説明されているが、これは、本考案が図面に開示の内容に限定されることを意味しない。他の実施例において、光学フィルムは、３つ以上の複数の部分からなっても良い。
【００３４】
なお、本実施例では、光学フィルム１３０Ｃの第一部分１３１の位相遅延量（ｐｈａｓｅ  ｒｅｔａｒｄａｔｉｏｎ）は、第二部分１３２の位相遅延量とは異なって良い。言い換えると、光学フィルム１３０Ｃは、導光板１１０のエッジ領域ＰＲと光源１２０との相対位置関係に基づいて、エッジ領域ＰＲからの異なる部分の第一光束が偏光子（例えば、図１に示す偏光子２１０）を通過した後の光強度を個別に調整することで、導光板１１０のエッジ領域ＰＲからの異なる部分の光束の相対輝度と、導光板１１０の中央領域ＣＲからの光束の相対輝度との差を減少させることができる。これにより、バックライトモジュール１００Ｃからの光の均一性及び表示装置３０の表示品質を向上させることができるだけでなく、さらにバックライトモジュール１００Ｃの設計マージンを向上させることもできる。
【００３５】
本考案は、前述した好適な実施例に基づいて以上のように開示されたが、前述した好適な実施例は、本考案を限定するためのものでなく、当業者は、本考案の技術思想と範囲を離脱しない限り、本考案に対して些細な変更と潤色を行うことができるので、本考案の保護範囲は、添付した実用新案登録請求の範囲に定まったものを基準とする。また、本考案の何れの実施例又は実用新案登録請求の範囲は、本考案に開示された全ての目的又は利点又は特徴を達成する必要がない。また、要約の一部と考案の名称は、文献の検索を助けるためのみのものであり、本考案の権利範囲を限定するものでない。また、本明細書又は実用新案登録請求の範囲に言及されている「第一」、「第二」などの用語は、要素（ｅｌｅｍｅｎｔ）に名前を付け、または、異なる実施例又は範囲を区別するためのもののみであり、要素の数量上での上限又は下限を限定するためのものでない。
【符号の説明】
【００３６】
１０、１１、２０、３０：表示装置
１００、１００Ａ、１００Ｂ、１００Ｃ：バックライトモジュール
１１０：導光板
１１０ｂ：底面
１１０ｅ：出光面
１１０ｓ、１１０ｓ１：側面
１２０：光源
１３０、１３０Ａ、１３０Ｂ、１３０Ｃ：光学フィルム
１３１：第一部分
１３２：第二部分
１４０：反射型偏光フィルム
１５０：拡散シート
１６０、１８０：プリズムシート
１６１、１８１：基板
１６２、１８２：光学微細構造
１７０：反射シート
２００：表示パネル
２１０、２２０：偏光子
Ｂ１、Ｂ１ａ、Ｂ１ｂ：第一光束
ＣＲ：中央領域
ＥＡ、ＥＡ’：ファースト軸
ＰＲ：エッジ領域
Ｐ１：第一偏光方向
Ｐ２：第二偏光方向
Ｐ３：第三偏光方向
Ｔ、Ｔ１、Ｔ２：透過軸
Ｘ、Ｙ、Ｚ：方向
Ａ−Ａ’、Ｂ−Ｂ’、Ｃ−Ｃ’：経路
θ１、θ２、θ３：夾角。
【図１】
0003232980.tif 000003
【図２】
0003232980.tif 000004
【図３】
0003232980.tif 000005
【図４】
0003232980.tif 000006
【図５】
0003232980.tif 000007
【図６】
0003232980.tif 000008
【図７】
0003232980.tif 000009
【図８】
0003232980.tif 000010
【図９】
0003232980.tif 000011